(57)【特許請求の範囲】
【請求項１】
ユーザ端末装置が、コンテンツディジタルデータと、１又は複数の広告インデックスデータおよび前記各広告インデックスデータを広告表示領域及びコンテンツ表示領域のいずれに表示するかを示す情報を含む広告ディジタルデータと、を含むディジタルデータを取得し、
前記ユーザ端末装置が、前記コンテンツ表示領域に前記コンテンツディジタルデータを表示し、
前記ユーザ端末装置が、前記情報に基づいて、前記各広告インデックスデータを前記広告表示領域及び前記コンテンツ表示領域のいずれに表示するかを判断し、
前記ユーザ端末装置が、前記各広告インデックスデータを前記広告表示領域に表示すると判断した場合、前記各広告インデックスデータを前記広告表示領域に表示するとともに、前記各広告インデックスデータを前記コンテンツ表示領域に表示すると判断した場合、前記コンテンツディジタルデータに代えて前記各広告インデックスデータを前記コンテンツ表示領域に表示し、
前記ユーザ端末装置が、表示した前記各広告インデックスデータのうちのいずれかのユーザによる選択を受け付け、
前記ユーザ端末装置が、ユーザにより選択された前記広告インデックスデータに対応する広告データを、広告サーバからネットワークを介してダウンロードし、
前記ユーザ端末装置が、ダウンロードした前記広告データに基づいて広告表示を行う、
ことを特徴とする広告表示方法。
【請求項２】
請求項１記載の広告表示方法において、
前記ユーザ端末装置は、ダウンロードした前記広告データを、前記広告表示領域及び前記コンテンツ表示領域のいずれかに表示することにより、前記広告表示を行う、
ことを特徴とする広告表示方法。
【請求項３】
請求項１または請求項２に記載の広告表示方法において、
前記ディジタルデータはサーバに格納されており、
前記ユーザ端末装置は、前記サーバから前記ネットワークを介して前記ディジタルデータを取得する、
ことを特徴とする広告表示方法。
【請求項４】
請求項１または請求項２に記載の広告表示方法において、
前記ディジタルデータは記憶媒体に格納されており、
前記ユーザ端末装置が、前記記憶媒体から前記ディジタルデータを取得する、
ことを特徴とする広告表示方法。
【請求項５】
請求項１ないし請求項４のいずれかに記載の広告表示方法において、
前記広告データは、前記コンテンツディジタルデータの内容に関連する商品、又はサービスを広告対象とするものである、
ことを特徴とする広告表示方法。
【請求項６】
コンテンツディジタルデータと、１又は複数の広告インデックスデータおよび前記各広告インデックスデータを広告表示領域及びコンテンツ表示領域のいずれに表示するかを示す情報を含む広告ディジタルデータと、を含むディジタルデータを取得し、
前記コンテンツ表示領域に前記コンテンツディジタルデータを表示し、
前記情報に基づいて、前記各広告インデックスデータを前記広告表示領域及び前記コンテンツ表示領域のいずれに表示するかを判断し、
前記各広告インデックスデータを前記広告表示領域に表示すると判断した場合、前記各広告インデックスデータを前記広告表示領域に表示するとともに、前記各広告インデックスデータを前記コンテンツ表示領域に表示すると判断した場合、前記コンテンツディジタルデータに代えて前記各広告インデックスデータを前記コンテンツ表示領域に表示し、
表示した前記各広告インデックスデータのうちのいずれかのユーザによる選択を受け付け、
ユーザにより選択された前記広告インデックスデータに対応する広告データを、広告サーバからネットワークを介してダウンロードし、
ダウンロードした前記広告データに基づいて広告表示を行う、
ことを特徴とするユーザ端末装置。
【発明の詳細な説明】
【０００１】
【発明の属する技術分野】
本発明は、広告配信表示方法に係り、特にインターネット等のネットワークあるいはDVD（Digital versatile Disk）を介して提供されるコンテンツディジタルデータの配信に伴って行われる広告配信および広告表示の技術に関する。
【０００２】
【従来の技術】
近年のインターネットの普及により、公衆通信回線を含む各種ネヅトワークに接続されたパーソナルコンピュータなどの端末装置を介してWWW（World Wide Web）上のハイパーテキスト情報であるホームページを閲覧することが行われており、このようなホームページにおいては、パナー（banner）広告が一般的に用いられている。
【０００３】
通常、バナー広告にはリンクが張られており、バナー広告を表示している端末装置のユーザが当該パナー広告をクリックすることにより、別のベージにジャンプしてジャンブ先の広告内容を表示することとなっている。
また、現在、デジタルコンテンツの再生中に動画ＣＭを割り込ませようとした場合は、再生されているデジタルコンテンツに動画ＣＭを割り込ました形で新たにファイルを生成することとなる。
【０００４】
【発明が解決しようとする課題】
上記従来のパナー広告においては、ユーザが当該バナー広告を選択してクリックするまでは、リンク先のページにジャンプすることはなく、従って、パナー広告を設けるだけでは広告の配信回数も増加せず、広告主の望む広告効果が上がるとは限らないという課題があった。また、上記のデジタルコンテンツに動画ＣＭを割り込ます場合、新たにファイルを生成せねばならず、多大な労力を必要となる。
【０００５】
また、再生する動画ＣＭが新たにファイルを作った時点で決定され広告効果に限界があり、必ずしもユーザの希望する広告が配信されるとは限らないという課題もあった。
本発明は、よりユーザの希望に沿った広告を配信する等の広告効果を向上させることができ、さらに広告を含むコンテンツの製作を容易にすることができる広告配信表示方法を提供する。
【０００６】
【課題を解決するための手段】
本発明に係る広告配信表示方法は、ディジタルデータの再生時に所定のタイミングでネヅトワークを介して広告表示を行うための広告データを配信し、前記広告データに基づいて広告表示を行うものである。このように本発明においては、ディジタルデータが再生される際に、当該再生の所定箇所で、回線を介して別途に送信される広告データを表示するようにしているので、ディジタルデータの再生時期、年代、内容、ユーザ、再生場所に応じて広告データの内容を任意に変更できることとなり、広告効果を向上させることができる。
【０００７】
また、本発明に係る広告配信表示方法は必要に応じて、ディジタルデータが、前記ネットワークを介して配信され、又は記録媒体に格納されて配信されるものである。このように本発明においては、ネットワークにより又は記録媒体に格納されてディジタルデータを配信することにより、ディジタルデータの再生時期、年代、内容、ユーザ、再生場所に応じて広告データの内容を任意に変更できることとなり、広告効果を向上させることができる。
【０００８】
また、本発明に係る広告配信表示方法は必要に応じて、ディジタルデータが、広告データを特定するための広告インデックスデータを含み、広告インデックスデータに基づいて広告データがネットワークを介して配信されるものである。このように本発明においては、ディジタルデータの再生時期、年代、内容、ユーザ、再生場所に応じて広告データの内容を任意に変更できることとなり、広告効果を向上させることができる。
【０００９】
また、本発明に係る広告配信表示方法は必要に応じて、広告インデックスデータを提示し、提示されたインデックスデータをユーザが選択するものである。このように本発明においては、ユーザが興味を示し、又は希望する広告内容を表示できることとなり、より高い広告効果が得られる。
また、本発明に係る広告配信表示方法は必要に応じて、広告データが、ディジタルデータの再生内容に関連する商品又はサービスを広告対象とするものである。このように本発明においては、ディジタルデータの内容に関連する商品又はサービスを対象とする広告内容としているので、ディジタルデータの内容と広告内容とが一体化できることとなり、商品イメージを向上させつつ、より高い広告効果が得られる。
【００１０】
また、本発明に係る広告配信表示方法は必要に応じて、ディジタルデータの再生内容からキーコードを抽出し、抽出された前記キーコードに基づいて連想される広告素材データ又は予め用意された広告素材データから選択されたものから前記広告データを生成するものである。このように本発明においては、ディジタルデータの再生内容を特定するキーコードに基づいて広告素材データにより広告データを生成するようにしているので、予め作成され固定化された広告内容でなく、ディジタルデータの再生時点毎に最新且つ最適な内容の広告データを作成できることとなり、広告効果を向上させることができる。
【００１１】
また、本発明に係る広告配信表示方法は必要に応じて、広告データを生成するに際し、前記キーコードに基づいて広告提供者又は広告内容を選択するこものである。このように本発明においては、ディジタルデータの再生内容を特定するキーコードに基づいて広告提供者又は広告内容を選択するようにしているので、再生内容に適合した広告内容とすることにより、広告効果を向上させることができる。
【００１２】
また、本発明に係る広告配信表示方法は必要に応じて、ディジタルデータの再生に重畳して、又はディジタルデータの再生に代えて前記広告表示を行うものである。
また、本発明に係る広告配信表示方法は必要に応じて、広告データあるいは告インデックスデータが、前記ディジタルデータの再生画面の一部に表示されるものである。
【００１３】
【発明の実施の形態】
（本発明の第１の実施形態）
以下、本発明の第１の実施形態に係る広告配信表示方法に用いるシステム構成を図１ないし図３に基づいて説明する。図１は第１の実施形態に係る広告配信システムの概要構成ブロック図、図２は第１の実施形態に係る広告配信システムのユーザ端末装置の概要構成ブロック図、図３はコンテンツサーバのコンテンツの表示画面の一例の説明図、図４及び図５は図１に記載する広告配信システムの動作フローチャートである。
【００１４】
前記図１において広告配信システム１０は、ユーザがディジタルデータで提供されるコンテンツを再生（表示）するためのユーザ端末装置１１と、ユーザ端末装置１１と公衆回線網１２を介して接続され、ユーザ端末装置１１をインターネット１３に接続するためのインターネットサービスプロバイダ１４と、インターネット１３に接続され、コンテンツデータベース１５に格納した各種コンテンツをディジタルデータとして提供するコンテンツサーパ１６と、インターネット１３と、顧客データベース３３に格納した各種顧客情報を顧客データとして提供する顧客情報サーバ３４と、広告データベース１７に格納した各種広告を広告データとして提供する広告サーパ１８と、を備えて構成されている。
【００１５】
この場合において、コンテンツサーバ１６のURL（Uniform Resourece Locators）は「cont.com」であり、広告サーパ１８のURLは「adv.com」であるものとし、コンテンツサーバ１６におけるコンテンツのディジタルデータに対応するHTML（Hyper Text Markup Language）ファイルのファイル名は「contents.html」であるものとする。
【００１６】
前記図２において、ユーザ端末装置１１は、各種情報を表示するディスプレイ２１と、端末装置本体２２と、ユーザが各種情報を入力するためのキーボード２３と、ユーザが位置をディスプレイ２１の画面上で指示するためのマウスなどのポインティングデパイス２４と、を備えて構成されている。さらに、端末装置本体２２は、各種データを記憶するハードディスクドライプなどの記憶装置２５、人工衛星を利用して自分の位置を知るGPS（Global Positioning System）４５を備えて構成されている。
【００１７】
次に、前記構成に基づく第１の実施形態に係る広告配信表示方法の動作を説明する。
まず、ユーザが公衆回線網１２およびインターネットサーピスプロバイダ１４を介してインターネット１３にユーザ端末装置１１を接続し（Ｓ１０１）、キーボード２３によりディスプレイ２１に表示されているプラウザの画面上でコンテンツサーパ１６のホームページのアドレス、即ち、URLとして「http://ww.cont.com/contents．html」を入力したとする（Ｓ１０２）。
【００１８】
これにより、コンテンッサーバ１６のコンテンッデータベース１５からインターネット１３、インターネットサーピスプロパイダ１４および公衆回線網１２を介して「contents.html」のディジタルデータがユーザ端末装置１１に配信され（Ｓ１０３）、ＣＭディジタルデータをユーザ端末装置１１、３４のディスプレイ２１おけるどの表示領域に表示するかを判断する（Ｓ１０４）。なお、前記ディスプレイ２１における表示領域のいずれかに表示するかは予めＣＭディジタルデータ内に設定されるものとする。
【００１９】
前記Ｓ１０４でＣＭ表示領域にＣＭディジタルデータを表示すると判断された場合には、ディスプレイ２１の表示画面上に対応するコンテンツが表示されることとなる（Ｓ１０５）。
このときのディスプレイ２１の表示画面は、大別すると、ホームページ等のコンテンツが表示されるコンテンツ表示領域Ｄ１と、ＣＭ（広告）インデックスＣＩ１〜ＣＩｎおよびＣＭインデックスＣＩ１〜ＣＩｎに対応する広告が表示されるＣＭ表示領域Ｄ２と、を備えて構成されている（図３）。
【００２０】
ここで、ＣＭインデックスＣＩ１〜ＣＩｎは従来のバナー広告と同様の態様で表示されており、各ＣＭインデックスＣＩ１〜ＣＩｎは、コンテンツ表示領域Ｄ１に表示されているコンテンッにそれぞれ対応しているとともに、広告主である企業や広告対象の製品にそれぞれ対応している。
そして、ユーザがＣＭインデックスＣＩ１〜ＣIｎのいずれかをポインティングデパイス２４により選択し、確定（マウスの場合、クリツク）すると（Ｓ１０６）、確定したＣＭインデックスＣIｘ（ｘ：１〜ｎ）に対応する複数のＣＭディジタルデータにより構成されるＣＭディジタルデータグループを広告サーバ１６の広告データベース１７からインターネット１３、インターネットサービスプロバイダ１４および公衆回線網１２を介してダウンロードし（Ｓ１０７）、記憶装置２５に格納（ストック）する（Ｓ１０８）。
【００２１】
その後、端末装置本体２２の図示しないマイクロプロセッサユニットは、ＣＭインデックスＣＩｘが選択、確定されたタイミングから予め定めた所定時間が経過したか否かを判別する（Ｓ１０９）。
そして、図１４に示すようにコンテンツ表示領域Ｄ１にコンテンッが表示されると共にＣＭ表示領域Ｄ2にＣＭインデックスＣＩ1、ＣＩ2、ＣＩ3が表示されている状態でＣＭインデックスＣＩ２を選択して所定時間が経過していた場合には、記憶装置２５に格納されているＣＭディジタルデータグループのうちから第１番目に再生すべきＣＭディジタルデータを特定し、あるいは所定時間が経過した時刻に対応するＣＭディジタルデータを特定し、当該特定したＣＭディジタルデータに基づいてＣＭ表示領域Ｄ２に図１５に示すような白動車に関する広告表示を行う（Ｓ１１０）。また、図１５のようにコンテンツ表示領域Ｄ１にＣＭディジタルデータを表示する構成とすることもできる。
【００２２】
その後は、再生すべきＣＭディジタルデータを総て表示したか否かを判断する（Ｓ１１１）。総てのＣＭディジタルデータが表示されていないと判断された場合には、前記Ｓ１０９に戻り前記動作を繰り返すこととなる。他方、前記Ｓ１１１で総てのＣＭディジタルデータが表示されたと判断された場合には、所定時間が経過する毎に順次あるいは当該時刻に対応するＣＭディジタルデータを特定し、当該，特定したＣＭディジタルデータに基づいてコンテンツ表示領域Ｄ１に表示されているコンテンツに対応する広告表示をＣＭ表示領域Ｄ２において行うこととなる（Ｓ１２２）。
【００２３】
本実施形態に係る広告配信表示方法よれぱ、コンテンツディジタルデータに基づいてコンテンツ表示を行っている際に、コンテンツ表示と並行してユーザの所望の広告を表示することができる。また、ユーザがより興味のある対象についての広告表示を行えるため、広告効果を高めることができる。
前記Ｓ１０４でＣＭディジタルデータをディスプレイ２１のコンテンツ表示領域に表示すると判断された場合には、ディスプレイ２１のコンテンツ表示領域Ｄ１にディジタルコンテンツを表示し（Ｓ１１３）、さらに予め設定されたディジタルコンテンツの表示時間が経過したか否かを判断する（Ｓ１１４）。ディジタルコンテンツの表示が予め設定された時間表示されたと判断された場合には、コンテンツの表示領域にＣＭインデックスを図１７に示すように表示する（Ｓ１１５）。
【００２４】
さらに、前記表示されたＣＭインデックスＣＩ1、ＣＩ2、ＣＩ3のいずれかをユーザーがクリックすると（Ｓ１１６）、このクリックされたＣＭインデックスに対応する複数のＣＭディジタルデータを広告データベース１７の中から読出してユーザ端末装置１１へ配信する（Ｓ１１７）。この配信された複数のＣＭディジタルデータは、ユーザ端末装置１１の記憶装置２５に格納されることとなる（Ｓ１１８）。予め設定された時間が経過したか否かがユーザ端末装置１１で判断され（Ｓ１１９）、所定時間経過したものと判断された場合には、ディスプレイ２１のコンテンツ表示領域Ｄ１にディジタルコンテンツの再生を中断し、ユーザ端末装置１１の記憶装置２５から複数のＣＭディジタルデータからなるＣＭディジタルデータグループを読出し、この中から再生すべきＣＭディジタルデータをディスプレイ２１のコンテンツ表示領域Ｄ１へ表示する（Ｓ１２０）。
【００２５】
前記表示すべきＣＭディジタルデータが総てディスプレイ２１に表示されたか否かを判断し（Ｓ１２１）、総て表示されていないと判断された場合には、前記Ｓ１１９に戻り前記動作を繰り返すこととなる。他方、前記Ｓ１２１において再生すべきＣＭディジタルデータが総て表示されたと判断された場合には、コンテンツディジタルデータの再生が終了したことを前提として動作が完了する（Ｓ１２２）。
【００２６】
なお、前記実施形態に係る広告配信表示方法においては、コンテンツ表示と広告表示とを並行して表示するものであったが、コンテンツ表示に広告表示を割り込ませるように構成する、すなわち、コンテンツ表示と広告表示とを排他的に行わせるように構成することも可能である（図１６、図１７若しくは図１８）。
また、ごのＣＭインデックスは表示領域Ｄ２に表示される場合と、所定のタイミングが検出された際に、コンテンツ表示領域Ｄ１に表示し、その中から、利用者の希望にあった広告を選択し、その直後、もしくはしばらくしてダウンロードを開始し、表示を行うことも可能である。
【００２７】
この場合において、上記説明と同様に割り込みを行う広告表示の種類（分野、商品など）は、予めユーザが選択することができるので、従来のテレビにおける広告表示と異なり、ユーザの興味の低い種類の広告が表示される確率を低減することができ、より一層広告効果を高めることが可能となる。
また、広告表示を行うためのＣＭディジタルデータは、ユーザの指定に基づき、予め記憶装置２５に全てダウンロードしていたが、コンテンツに対応するコンテンツディジタルデータにＣＭディジタルデータを読み出すための広告読出データを埋め込んでおき、ネットワークを介してコンテンツ再生と並行してユーザの希望する広告表示の種類に対応するＣＭディジタルデータを順次読み出して記憶装置２５に順次ダウンロードし、所定のタイミングで表示するように構成することも可能である。
【００２８】
これにより、コンテンツディジタルデータの内容を更新したような場合であっても、柔軟にコンテンツディジタルデータに対応する広告を配信することができる。
また、広告表示を行うためのＣＭディジタルデータはユーザが任意に選択するものであったが、予めコンテンツディジタルデータの種類に応じて選択可能なＣＭディジタルデータの種類を設定するように構成することも可能である。
【００２９】
より具体的には、コンテンツディジタルデータの内容に関連する商品あるいはサービスについてのＣＭディジタルデータを選択可能に設定するように構成する。例えば、コンテンツディジタルデータがマリンスポーヅに関連するものである場合、ダイビング用品に関連するＣＭディジタルデータを選択可能にしたり、ダイビングスクールに関連するＣＭディジタルデータを選択可能に設定すればよい。
【００３０】
これにより、より一層ユーザの嗜好に合わせたＣＭディジタルデータの配信を行うことが可能となり、広告効果も向上させることができる。
また、ＣＭだけでなく、ＣＭ再生中にインターネツト回線を利用してアンケートの収集、電子商取引を行うことも可能である。この場合、アンケート回収結果、電子商取引処理は、広告サーパ１８又は別のサーパで行う。
【００３１】
（本発明の第２の実施形態）
本発明の第２の実施形態に係る広告配信表示方法を図６及び図７に基づいて説明する。同図において本実施形態に係る広告配信表示方法は、前記第１の実施形態が予め作成されたＣＭディジタルデータを配信する構成を採っていたのに対し、予めＣＭディジタルデータを構成するためのＣＭディジタル素材データを用意しておき、コンテンツディジタルデータの内容に沿ってＣＭディジタルデータを生成して配信する構成である。
【００３２】
このコンテンツディジタルデータの内容を検出するための手法としては、例えば、以下のものが挙げられる。まず、予めコンテンツディジタルデータの内容を特定するためのキーワード（キーコード）をコンテンツディジタルデータに付加する。この場合のキーワードとしては、広告内容に対応するキーワードばかりでなく、広告提供者名、広告提供業種、コンテンツディジタルデータの分野などを含めるとより効果的にＣＭディジタル素材データを抽出することができる。
【００３３】
また、キーワードを付加する際には、コンテンツディジタルデータの全内容に対応するキーワードを最初に付加してネットワークを介してダウンロードする場合のみならず、コンテンツ再生に伴ってキーワードが随時変化するように付加してダウンロードするように構成することも可能である。
また、コンテンツディジタルデータに文字データが含まれる場合においては、文字データに含まれる単語を形態素解析などにより抽出し、出現頻度の高い単語をキーワードとして抽出する。さらに、コンテンツディジタルデータに音声データが含まれる場合においでは、音声データの音声認識を行い、文字データに変換し、得られた文字データに含まれる単語を形態素解析などにより抽出し、出現頻度の高い単語をキーワードとして抽出する。
【００３４】
次に、本実施形態に係る広告配信表示方法の動作について説明する。
前記第１の実施形態と同様にユーザがインターネツト１３に接続し、ディジタルコンテンツファイルのＵＲＬを入力し、コンテンツデータベース１５からユーザ端末装置１１にコンテンツデイジタルデータが配信される（Ｓ２０１、Ｓ２０２、Ｓ２０３）。この配信されたコンテンツディジタルデータをユーザ端末装置１１のディスプレイ２１におけるコンテンツ表示領域Ｄ１にコンテンツディジタルデータを表示する（Ｓ２０４）。
【００３５】
このコンテンツ表示領域Ｄ１に表示されたコンテンツディジタルデータ中からキーワード（キーコード）を判別して抽出する（Ｓ２０５）。この抽出されたキーワードが文字データか音声データかのいずれかであるかの判別処理がなされ（Ｓ２０６）、このキーワードに応じたＣＭディジタルデータを生成するための予め登録されたＣＭディジタル素材が広告サーバ１８により広告データベース１７から検索されることとなる。この広告サーパ１８が該当するＣＭディジタル素材を予め設定された編集手順に沿って新たなＣＭディジタルデータを一又は複数生成することとなる（Ｓ２０７）。なお、前記Ｓ２０６においては、文字データ、音声データのみについて判別して抽出したが、画像データも含めて判断することできる。この場合には画像データに基づいてＣＭディジタル素材が抽出され、新たなＣＭディジタルデータが生成されることとなる。
【００３６】
前記Ｓ２０４においてディスプレイ２１のコンテンツ表示領域Ｄ１にコンテンツディジタルデータが表示された時間が予め設定された時間経過したか否かを判断する（Ｓ２０８）。このＳ２０８で所定時間経過したと判断された場合には、前記生成された任意のＣＭディジタルデータが広告サーバ１８からユーザ端末装置１１へ配信されることとなる（Ｓ２０９）。次に、この配信を受けたユーザ端末装置１１は、ＣＭディジタルデータをディスプレイ２１のどの表示領域に表示するかを判断する（Ｓ２１０）。
【００３７】
この判断において、ディスプレイ２１のＣＭ表示領域Ｄ２に表示すべきと判断された場合には、記憶装置２５に格納されているＣＭディジタルデータグルーブのうちから第１番目に再生すべきＣＭディジタルデータを特定し、あるいは所定時間が経過した時刻に対応するＣＭディジタルデータを特定し、当該特定したＣＭディジタルデータに基づいてＣＭ表示領域Ｄ２に広告表示を行う（Ｓ２１１）。
【００３８】
その後は、再生すべきＣＭディジタルデータを総て表示したか否かを判断する（Ｓ２１２）。前記Ｓ２１２で総てのＣＭディジタルデータが表示されたと判断された場合には、さらにコンテンツディジタルデータがディスプレイ２１のコンテンツ表示領域Ｄ１で総て再生が終了したか否かを判断する（Ｓ２１３）。このＳ２１３で総てのコンテンツディジタルデータの再生が終了していないと判断された場合には、前記生成された複数のＣＭディジタルデータのうち、再生されていないＣＭディジタルデータの配信を広告サーパ１８へ要求する（Ｓ２１４）。このＣＭディジタルデータの配信要求がなされた後は、前記Ｓ２０９へ戻り前記動作を繰り返すこととなる。
【００３９】
前記Ｓ２１０において配信されたＣＭディジタルデータをディスプレイ２１のコンテンツ表示領域Ｄ１に表示すると判断された場合には、前記Ｓ２０４で表示されるコンテンツディジタルデータの再生を中断し、配信されたＣＭディジタルデータをコンテンツ表示領域ＤＩに表示することとなる（Ｓ２１５）。この表示された後は、前記Ｓ２１２のＣＭディジタルデータの表示が総て終了したか否かが判断されることとなる。
【００４０】
以上のようにして、付加あるいは抽出したキーワードに基づいてＣＭディジタルデータの提供者（広告主）あるいはＣＭディジタル素材データ（広告内容）を選択し、対応するＣＭディジタルデータを生成する。
本実施形態に係る広告配信表示方法は、より具体的には、予めコンテンツディジタルデータに付加されたキーワードが「空中スポーツ」、「スカイダイビング」であり、コンテンツディジタルデータに含まれる文字データあるいは音声データから抽出したキーワードが「ハワイ」、「スクール」であった場合には、ＣＭディジタル素材データからハワイのスカイダイビングスクールの広告主およびハワイのスカイダイビングスクールに対応するＣＭディジタル素材データを図１に示した広告サーバ１８の広告データベース１７から検索し、予め定めた編集手順（表示シナリオ、ＢＧＭ付加など）に沿って新たなスカイダイビングスクールのスクール生募集のＣＭディジタルデータを生成して配信することができる。
【００４１】
また、予めコンテンヅディジタルデータに付加されたキーワードが「サングラス」であり、コンテンツディジタルデータに含まれる文字データあるいは音声データから抽出したキーワードが「海」、「水着」であった場合には、ＣＭディジタル素材データから海辺でサングラスをかけた水着のモデルが含まれる画像や、水中画像などのＣＭディジタル素材データおよびサングラスメーカの作成したＣＭディジタル素材データを図１に示した広告サーパ１８の広告データベース１７から検索し、予め定めた編集手順（表示シナリオ、ＢＧＭ付加など）に沿って新たな新デザインのサングラスのＣＭディジタルデータを生成して配信する。
【００４２】
以上の説明のように、本実施形態によれば、コンテンツディジタルデータに対応するコンテンツの内容に沿って適切な広告配信および広告表示を行うことができるため、より一層の広告効果を望むことが可能となる。
なお、本実施形態においては、予め用意されたＣＭディジタル素材データをつなぎ合わせてＣＭディジタルデータを生成する場合について説明したが、複数のＣＭディジタル索材を合成して一つのＣＭディジタルデータを生成し、同様に合成したＣＭディジタルデータあるいはＣＭディジタル素材データをつなぎ合わせてＣＭディジタルデータを生成するように構成することも可能である。
【００４３】
より具体的には、上述の例の場合、海辺でサングラスをかけた水着のモデルが含まれる画像に対応するＣＭディジタル素材データに代えて、サングラスをかけた水着のモデルのＣＭディジタル素材データに海辺の画像のＣＭディジタル素材データを合成して海辺でサングラスをかけた水着のモデルが含まれる画像に対応するＣＭディジタルデータを生成してもよい。
【００４４】
この場合においては、予め合成可能なＣＭディジタル素材データを特定するための合成可能組み合わせデータを広告データベース１７に含めておくことが合成の違和感を低減する上では好ましい。
（本発明の第３の実施形態）
図８ないし図１１に基づいて本実施形態に係る広告配信表示方法を説明する。図８はユーザ端末装置の概要構成図、図９は本実施形態に係る広告配信表示方法のＤＶＤにおけるデータ記録状態の説明図、図１０及び図１１は図８に記載する広告配信表示方法の各動作フローチャートを示す。
【００４５】
本実施形態に係る広告配信表示方法は、以上の各実施形態がコンテンツディジタルデータおよびＣＭディジタルデータ（ＣＭインデックスを含む）の全てをインターネットなどのネットワークを介して配信していたが、コンテンツディジタルデータおよびＣＭインデックスをＤＶＤ（Digita1 Versatile Disk）、ＣＤ（Compact Disk）等のディスク型記録媒体や、ビデオテープなどのテーブ状記録媒体や、ＩＣカードなどの半導体記録媒体を介して供給し、ＣＭディジタデータについては、インターネットなどのネットワークを介して配信する構成である。第３実施形態の全体構成としては、図１の場合と同様であるので、図１及び図３を参照して説明する。
【００４６】
前記図８においてユーザ端末装置１１Ａは、各種情報を表示するディスプレイ２１と、端末装置本体２２と、ユーザが各種情報を入力するためのキーボード２３と、ユーザが位置をディスプレイ２１の画面上で指示するためのマウスなどのポインティングデバイス２４と、を備えて構成されている。
さらに、端末装置本体２２は、各種データを記憶するハードディスクドライブなどの記憶装置２５と、ＤＶＤ３０を再生するためのＤＶＤ再生装置２６と、を備えて構成されている。
【００４７】
次に、図１０及び図１１を参照して記録媒体におけるコンテンツディジタルデータおよびＣＭインデックスの記録状態をＤＶＤを例として説明する。
ＤＶＤ３０には、図９に示すように螺旋状にデータが記録されており、複数のコンテンツディジタルデータ３１が記録される毎にＣＭインデックス３２が記録されている。
【００４８】
次に、本実施形態に係る広告配信表示方法の動作を説明する。前記第２の実施形態と同様にユーザがインターネットに接続し（Ｓ３０１）、ＤＶＤ３０を起動させる（Ｓ３０２）。このＤＶＤ３０から出力されるディジタルコンテンツをディスプレイ２１のコンテンツ表示領域Ｄ１に表示させる（Ｓ３０３）。このディジタルコンテンツが表示されたディスプレイ２１にＣＭディジタルデータを表示する場合に、ディスプレイ２１のどの領域に表示するかを判断する（Ｓ３０４）。このＳ３０４において、ディスプレイ２１のＣＭ表示領域Ｄ２へＣＭディジタルデータを表示すると判断された場合には、ユーザがディスプレイ２１のＣＭ表示領域Ｄ２内に表示されたＣＭインデックスＣ１１、〜、Ｃｌｎのいずれかをクリックする（Ｓ３０５、３０６）。このクリックされたＣＭインデックスＣＩ１〜ＣＩｎに対応するＣＭディジタルデータグループを広告データベース１７からユーザ端末装置１１に配信される（Ｓ３０７）。この配信されたＣＭディジタルデータがユーザ端末装置１１の記憶装置２５へ格納される（Ｓ３０８）。前記Ｓ３０３によってディジタルコンテンツの表示が予め設定された時間経過したか否かを判断する（Ｓ３０９）。この所定時間経過したと判断された場合には、ユ一ザ端末装置１１の記憶装置２５に格納されたＣＭディジタルデータの中から再生すべきＣＭディジタルデータをＣＭ表示領域Ｄ２に表示されることとなる（Ｓ３１０）。
【００４９】
その後は、再生すべきＣＭディジタルデータを総て表示したか否かを判断する（Ｓ３１１）。総てのＣＭディジタルデータが表示されていないと判断された場合には、前記Ｓ３０９に戻り前記動作を繰り返すこととなる。他方、前記Ｓ３１１で総てのＣＭディジタルデータが表示されたと判断された場合には、所定時間が経過する毎に順次あるいはこの時刻に対応するＣＭディジタルデータを特定し、この特定したＣＭディジタルデータに基づいてコンテンツ表示領域Ｄ１に表示されているコンテンツに対応する広告表示をＣＭ表示領域Ｄ２において行うこととなる（Ｓ３２１）。
【００５０】
前記Ｓ３０４において、ＣＭディジタルデータをディスプレイ２１のコンテンツ表示領域Ｄ１に表示すると判断された場合には、以下のように実行される。まず、ＣＭディジタルデータをディスプレイ２１のコンテンツ表示領域Ｄ１に表示し（Ｓ３１２）、この表示されたディジタルコンテンツの表示時間が予め設定された時間を経過したか否かを判断する（Ｓ３１３）。ディジタルコンテンツの表示が予め設定された時間表示されたと判断された場合には、コンテンツの表示領域にＣＭインデックスを図１７に示すように表示する（Ｓ３１４）。
【００５１】
さらに、前記表示されたＣＭインデックスＣＩＩ、ＣＩ２、Ｃ１３のいずれかをユーザーがクリックすると（Ｓ３１５）、このクリックされたＣＭインデックスに対応するＣＭディジタルデータグループを広告データベース１７の中から読出してユーザ端末装置１１へ配信する（Ｓ３１６）。この配信された複数のＣＭディジタルデータは、ユーザ端末装置１１の記憶装置２５に格納されることとなる（Ｓ３１７）。予め設定された時間が経過したか否かがユーザ端末装置１１で判断され（Ｓ３１８）、所定時間経過したものと判断された場合には、ディスプレイ２１のコンテンツ表示領域Ｄ１にディジタルコンテンツの再生を中断し、ユーザ端末装置１１の記憶装置２５から複数のＣＭディジタルデータを読出し、この中から再生すべいＣＭディジタルデータをディスプレイ２１のコンテンツ表示領域Ｄ１へ表示する（Ｓ３１９）。
【００５２】
前記表示すべきＣＭディジタルデータが総てディスプレイ２１に表示されたか否かを判断し（Ｓ３２０）、総て表示されていないと判断された場合には、前記Ｓ３１８に戻り前記動作を繰り返すこととなる。他方、前記Ｓ３２０において再生すべきＣＭディジタルデータが総て表示されたと判断された場合には、コンテンツディジタルデータの再生が終了したことを前提として動作が完了する（Ｓ３２１）。
【００５３】
ユーザがＤＶＤ再生装置２６にＤＶＤ３０を挿入すると、ＤＶＤ３０に記録されているコンテンツディジタルデータに基づいて、ディスプレイ２１の表示画面上に対応するコンテンツが図１９に示すように表示されることとなる（Ｓ３０３）。
そして、ＤＶＤ３０からＣＭインデックス３２を読み出す毎（図１４若しくは図１７）に当該ＣＭインデックスに対応する複数のＣＭディジタルデータにより構成されるＣＭディジタルデータグループを広告サーバ１６の広告データベース１７からインターネヅト１３、インターネットサービスプロバイダ１４および公衆回線網１２を介してダウンロードし、記憶装置２５に格納（ストック）する（Ｓ３０５〜Ｓ３０８）。
【００５４】
その後、端末装置本体２２の図示しないマイクロプロセッサユニットは、コンテンツディジタルデータの再生に同期した予め定めた所定時間間隔毎に記憶装置２５に格納されているＣＭディジタルデータグループのうちから再生すべきＣＭディジタルデータを特定し、当該特定したＣＭディジタルデータに基づいて広告表示を行う（図１５、図１６若しくは図１８）。
【００５５】
その後は、所定時間間隔毎に順次あるいは当該時刻に対応するＣＭディジタルデータを特定し、当該特定したＣＭディジタルデータに基づいて広告表示を行うこととなる（Ｓ３０９、Ｓ３１０）。
以上の説明のように、本第３実施形態によれば、コンテンツディジタルデータに基づいてコンテンツ表示を行っている際に、コンテンツ表示と並行してユーザの所望の広告をネットワークを介して取得し表示することができる。また、ユーザがより興味のある対象についての広告表示を行えるため、広告効果を高めることができる。
【００５６】
なお、前記実施形態においては、ＤＶＤに記録されたＣＭインデックスに基づいて自動的に広告配信および表示を行うものであったが、第１実施形態と同様に、ＣＭインデックスをディスプレイの表示画面上に表示し、ユーザが選択、確定するように構成することも可能である。
（本発明の第４の実施形態）
以上の各実施形態においては、ネットワークとしてインターネットを利用する場合について説明したが、本発明は、双方向ＣＡＴＶ（Cable TeleVision）を用いる場合についても適用が可能である。
【００５７】
ＣＡＴＶセンタから一般家庭等の受信者に放送を伝送するために用いられている同軸ケーブルで伝送可能な伝送周波数帯域においては、わずかながら放送のために使用されていない伝送周波数帯域が存在している。
従って、この放送のために使用されていない伝送周波数帯域を受信者側からＣＡＴＶセンタ側への上り通信のために用いることができるようにしたものが双方向ＣＡＴＶである。
【００５８】
このような双方向ＣＡＴＶにおいては、ＣＡＴＶセンタにビデオサーバを接地することによりユーザが見たい番組（映画など）のオーダーを受け取り、各ユーザ毎に独立して配信するビデオ・オン・デマンド（Video 0n Demand  ； interactive TV）が可能となっている。
そこで、双方向ＣＡＴＶにおいても、視聴者が要求するサービスの途中にＣＭディジタルデータ（あるいはさらに加えてＣＭインデックス）をケーブルを介して配信し、表示を行わせるようにすることができる。
【００５９】
本実施形態の動作、効果および変形例については、上記各実施形態と同様である。
なお、本実施形態おいては、配信されるコンテンツディジタルデータは、画像表示を行うものについて説明したが、音声再生のみの場合であっても、配信する広告データを音声広告とすれば、本発明の適用が可能である。
【００６０】
さらに、音声再生であっても、パソコン、携帯電話、等、表示機能を持つ機器で本システムを動作させる場合、動画広告を再生させ、本発明の適用を可能である。
また、本実施形態においては、ネットワークとしてインターネットを用いる場合について主として説明したが、有線および無線の双方を含むLAN（Local Ares Network）、専用線接続ネットワーク、衛星通信を含む衛星通信ネットワークなど任意のネットワーク構成を採用する場合についても適用が可能である。
（本発明の第５の実施形態）
以上の各実施形態においては、ＣＭ視聴者を個別のものとして扱わなかったが、あらかじめ、登録された視聴者の個人情報、また、これまでのＣＭ閲覧履歴、ＣＭ内でどのような操作をしたかなどの履歴を利用したＣＭ配信も可能である。
【００６１】
このシステムは、図１に参照するように、広告サーバー、コンテンツサーバー、と個人情報サーバーを備えて構成される。
次に、前記構成に基づく第１の実施形態に係る広告配信表示方法の動作を図１３に基づいて説明する。
まず、ユーザが公衆回線網１２およびインターネットサーピスプロバイダ１４を介してインターネット１３にユーザ端末装置１１を接続し（Ｓ４０１）、キーボード２３によりディスプレイ２１に表示されているプラウザの画面上でコンテンツサーバ１６のホームページのアドレス、即ち、URLとして「http://www.cont.com/contents.htm1」を入力し（Ｓ４０２）、さらにユーザがユーザ端末装置１１から個人登録を行う（Ｓ４０３）。具体的には、このシステムを利用する利用者が、コンテンツデータを呼び出して本システム、初回利用時（初回利用時でなくてもよい）に個人情報の登録を行う。この個人情報とは、氏名、年齢、性別、住所、職業、趣味、役職、年収などから構成されている。また、利用者が広告を閲覧、アンケート、電子商取引、など広告再生中に画面上で行った行動を記録し、個人情報履歴として、個人情報サーバーに登録しておく。また、個人情報の履歴についても記録しておく。
【００６２】
これにより、コンテンツサーバ１６のコンテンツデータベース１５からインターネット１３、インターネットサーピスプロパイダ１４および公衆回線網１２を介して「contents．htm1」のコンテンツディジタルデータがユーザ端末装置１１に配信される（Ｓ４０４）。この配信されたコンテンツディジタルデータをディスプレイ２１のコンテンツ表示領域ＤＩに表示する（Ｓ４０５）。
【００６３】
前記コンテンツディジタルデータがディスプレイ２１のコンテンツ表示領域Ｄ１に表示された時間が、予め設定されたディジタルコンテンツの表示時間を経過したか否かを判断する（Ｓ４０６）。このＳ４０６において予め設定された時間が経過したと判断された場合には、前記Ｓ４０３において登録された個人情報に基づいて、ユーザが希望する（若しくは広告主が希望する）ＣＭディジタルデータを検索する（Ｓ４０７）。この検索した複数のＣＭディジタルデータを広告データベース１７から広告サーパ１８が読出して、この広告サーバ１８がユーザ端末装置１１へ配信する（Ｓ４０８）。具体的には、この広告の選定において個人情報を利用して、広告主の望む利用者に、もしくは、利用者が閲覧したいであろう、広告を予想して広告を再生することが可能となり、広告効果が向上する。この場合の例では、利用者が特別な操作をせずに広告を再生する場合を含む。もしくは、個人情報と前出の各実施例と同様の広告選出を行う際にも、個人情報、履歴、前出の実施例での広告選定方法とを組みあわせて広告を選定することが可能となる。
【００６４】
これにより、利用者の希望と客観的な予想等をマッチングして広告を選定することが可能となり、より、広告効果を向上させることが可能である。
さらに、広告主の持つ顧客情報とのマツチングも可能である。特定の企業が自社の顧客情報活用してを自社のもつ伝達方法（ダイレクトメール、電話など）で既存顧客への広告を行っていたが、ネットワークを介してデータをやり取りすることによって、本発明の広告選出に利用することも可能である。これにより、広告主はさらに、広告対象者を正確に絞込み、かつ効果的な広告を選出させることが可能である。
【００６５】
この配信された複数のＣＭディジタルデータは、ユーザ端末装置１１の記憶装置２５に格納されることとなる（Ｓ４０９）。予め設定された時間が経過したか否かがユーザ端末装置１１で判断され（Ｓ４１０）、所定時間経過したものと判断された場合には、ディスプレイ２１のコンテンツ表示領域Ｄ１にディジタルコンテンツの再生を中断し、ユーザ端末装置１１の記憶装置２５から複数のＣＭディジタルデータを読出し、この中から再生すぺいＣＭディジタルデータをディスプレイ２１のコンテンツ表示領域Ｄ１へ表示する（Ｓ４１１）。
【００６６】
前記表示すべきＣＭディジタルデータが総てディスプレイ２１に表示されたか否かを判断し（Ｓ４１２）、総て表示されていないと判断された場合には、前記Ｓ４１０に戻り前記動作を繰り返すこととなる（Ｓ４１０〜Ｓ４１２）。他方、前記Ｓ４１２において再生すべきＣＭディジタルデータが総て表示されたと判断された場合には、コンテンツディジタルデータの再生が終了したことを前提として動作が完了する（Ｓ４１３）。
（本発明の第６の実施形態）
図１３に基づいて本実施形態に係る広告配信方法を説明する。本実施形態に係る広告配信方法は、複数の端末がネツトワークを介して本システムに接続されているものとする。前記の実施形態に基づいてユーザ端末装置１１Ａが広告を再生した際に利用者の希望によって、本サービスを利用している利用者の知人に利用者が視聴した広告を特定するデータを送ることができる。これは、個人情報登録されている利用者を特定できる情報（たとえば、電子メールアドレスなど）を利用し、特定の個人にデータを送る事を可能とする。この動作については図１３に示すようにＳ５０１ないしＳ５１２によって前記第５の実施形態と同様に実施される。
【００６７】
これにより、利用者の知人は、前出の実施形態に基づいて、広告が選出される場合に加え、友人からの推薦の広告という形で広告を選択肢の候補に上げることが可能であり、利用者の知人の希望により、利用者の推薦広告を視聴することができる。これによって、友人からの紹介という、ロコミに近い、形態が実現され、従来のマーケティングでも証明されているように、広告効果の向上が可能である。
（本発明の第７の実施形態）
以上の各実施形態においては、最初にデジタルコンテンツを記録しているファイルに広告を呼び出す所定のタイミングを記録していたが、本実施形態では、デジタルコンテンツを生成した後に、もしくは以前に広告を呼び出す所定のタイミングを決定することも可能である。
【００６８】
このシステムは、図１に参照するように、広告サーバー、コンテンツサーパーを備えて形成される。コンテンツサーパーから端末にダウンロードされたデジタルコンテンツに対して、端末側、もしくは広告サーバーが所定のタイミングを設定する。その後は前出の実施形態に基づいて、広告を再生させる。
これにより、広告を呼び出す所定のタイミングを任意に変更することが可能であり、また、所定のタイミングを記録しないことも可能である。
（本発明の第８の実施形態）
以上の各実施形態においては、デジタルコンテンツに広告を呼び出す所定のタイミングを記録していたが、デジタルコンテンツ以外のファイルに広告を呼び出すタイミングを記録することも可能である。これによって、広告を呼び出すタイミングを別のファイルに記録することにより、デジタルコンテンツに所定のタイミングを記録することなく、前出の実施形態に従って広告を呼び出すことが可能である。
【００６９】
（本発明の第９の実施形態）
本発明の第９の実施形態は、登録された視聴者の個人情報、また、これまでのＣＭ閲覧履歴、ＣＭ内でどのような操作をしたかなどの履歴を利用したＣＭ配信をする。
このシステムは、図１に参照するように、広告サーバー、コンテンツサーバー、と個人情報サーバーを備えて構成される。
次に、前記構成に基づく第９の実施形態に係る広告配信表示方法の動作を図１３に基づいて説明する。
【００７０】
まず、ユーザが公衆回線網１２およびインターネットサーピスプロバイダ１４を介してインターネット１３にユーザ端末装置１１を接続し（Ｓ６０１）、キーボード２３によりディスプレイ２１に表示されているプラウザの画面上でコンテンツサーバ１６のホームページのアドレス、即ち、URLとして「http://www.cont.com/contents.htm1」を入力する（Ｓ６０２）。
このとき、個人情報サーバーから個人情報及び個人情報履歴をダウンロードする（Ｓ６０３）。この個人情報は、このシステムを最初に利用したときに登録した情報である。この個人情報とは、氏名、年齢、性別、住所、職業、趣味、役職、年収などから構成されている。また、個人情報履歴は、利用者が広告を閲覧、アンケート、電子商取引、など広告再生中に画面上で行った行動を記録したものである。
【００７１】
個人情報及び個人情報履歴をダウンロードすると、インターネット１３への接続は維持していてもよいし、切断しても構わない。
コンテンツサーバ１６のコンテンツデータベース１５からインターネット１３、インターネットサーピスプロパイダ１４および公衆回線網１２を介して「contents.htm1」のコンテンツディジタルデータがユーザ端末装置１１に配信される（Ｓ６０４）。この配信されたコンテンツディジタルデータをディスプレイ２１のコンテンツ表示領域ＤＩに表示する（Ｓ６０５）。
【００７２】
前記コンテンツディジタルデータがディスプレイ２１のコンテンツ表示領域Ｄ１に表示された時間が、予め設定されたディジタルコンテンツの表示時間を経過したか否かを判断する（Ｓ６０６）。このＳ６０６において予め設定された時間が経過したと判断された場合には、前記Ｓ６０３において登録された個人情報に基づいて、ユーザが希望する（若しくは広告主が希望する）ＣＭディジタルデータを検索する（Ｓ６０７）。
【００７３】
ＣＭディジタルデータはユーザ端末装置１１に記録媒体（ＣＤ、ＤＶＤ等）によって提供されており、ＣＤディジタルデータはこの記録媒体の中から検索される。なお、ＣＭディジタルデータは、コンテンツ表示領域Ｄ１に表示されたコンテンツディジタルデータ中からキーワードを抽出し、このキーワードに応じたＣＭディジタルデータを生成するためのＣＭディジタル素材を記録媒体から検索するとともに、さらに必要なＣＭディジタル素材を広告サーバ１８からダウンロードして、これらを合成して新たなＣＭディジタルデータが生成することも可能である。このＣＭディジタル素材の合成は第２の実施形態と同様のプロセスである。
【００７４】
具体的には、この広告の選定において個人情報を利用して、広告主の望む利用者に、もしくは、利用者が閲覧したいであろう、広告を予想して広告を再生することが可能となり、広告効果が向上する。この場合の例では、利用者が特別な操作をせずに広告を再生する場合を含む。もしくは、個人情報と前出の各実施例と同様の広告選出を行う際にも、個人情報、履歴、前出の実施例での広告選定方法とを組みあわせて広告を選定することが可能となる。
【００７５】
これにより、利用者の希望と客観的な予想等をマツチングして広告を選定することが可能となり、より、広告効果を向上させることが可能である。
さらに、広告主の持つ顧客情報とのマツチングも可能である。特定の企業が自社の顧客情報活用してを自社のもつ伝達方法（ダイレクトメール、電話など）で既存顧客への広告を行っていたが、ネットワークを介してデータをやり取りすることによって、本発明の広告選出に利用することも可能である。これにより、広告主はさらに、広告対象者を正確に絞込み、かつ効果的な広告を選出させることが可能である。
【００７６】
そして、予め設定された時間が経過したか否かがユーザ端末装置１１で判断され（Ｓ６１０）、所定時間経過したものと判断された場合には、ディスプレイ２１のコンテンツ表示領域Ｄ１にディジタルコンテンツの再生を中断し、ユーザ端末装置１１の記録媒体から複数のＣＭディジタルデータを読出し、この中から再生すべきＣＭディジタルデータをディスプレイ２１のコンテンツ表示領域Ｄ１へ表示する（Ｓ６１１）。
【００７７】
前記表示すべきＣＭディジタルデータが総てディスプレイ２１に表示されたか否かを判断し（Ｓ６１２）、総て表示されていないと判断された場合には、前記Ｓ６１０に戻り前記動作を繰り返すこととなる（Ｓ６１０〜Ｓ６１２）。他方、前記Ｓ６１２において再生すべきＣＭディジタルデータが総て表示されたと判断された場合には、コンテンツディジタルデータの再生が終了する（Ｓ６１３）。
【００７８】
そして、利用者が広告を閲覧、アンケート、電子商取引、など広告再生中に画面上で行った行動を記録した個人情報履歴がユーザ端末装置３４から個人情報サーバーにアップロードされる（Ｓ６１４）。このとき、インターネット１３への接続が維持されていれば、すぐに個人情報履歴のアップロードを行う。インターネット１３への接続が切断されていたときは、すぐにインターネット１３への再接続を行ってから個人情報履歴をアップロードする。あるいは、個人情報履歴してもよいし、次回インターネット１３に接続したときにアップロードしてもよい。
【００７９】
（本発明の第１０の実施形態）
図４及び図５を援用して第１０の実施形態に係る広告配信方法を説明する。本実施形態に係る広告配信方法は、複数の端末がネツトワークを介して本システムに接続されているものとする。また、ユーザ端末装置３４には、ＣＤ等の記録媒体によりディジタルコンテンツが格納されている。
【００８０】
この実施形態では、ステップＳ１１３において、コンテンツ表示領域にディジタルコンテンツを再生する。一方、バックグラウンドでは、ステップＳ１０７におけるＣＭディジタルデータグループを広告データベースからダウンロードする。そして、予め設定された時間が経過したときには、ダウンロードしたＣＭディジタルデータをコンテンツ表示領域に表示する（広告を表示する）。
このように、ディジタルコンテンツを再生しながら、バックグラウンド処理によりＣＭディジタルデータをダウンロードすることにより、ユーザはストレスなくコンテンツを視聴することができる。
【００８１】
【発明の効果】
本発明においては、ディジタルデータが再生される際に、当該再生の所定箇所で、回線を介して別途に送信される広告データを表示するようにしているので、ディジタルデータの再生時期、年代、内容、ユーザ、再生場所に応じて広告データの内容を任意に変更できることとなり、広告効果を向上させることができるという効果を奏する。
【００８２】
また、本発明においては、ネットワークにより又は記録媒体に格納されてディジタルデータを配信することにより、ディジタルデータの再生時期、年代、内容、ユーザ、再生場所に応じて広告データの内容を任意に変更できることとなり、広告効果を向上させることができるという効果を有する。
また、本発明においては、ディジタルデータの再生時期、年代、内容、ユーザ、再生場所に応じて広告データの内容を任意に変更できることとなり、広告効果を向上させることができるという効果を有する。
【００８３】
また、本発明においては、ユーザが興味を示し、又は希望する広告内容を表示できることとなり、より高い広告効果が得られるという効果を有する。
また、本発明においては、ディジタルデータの内容に関連する商品又はサービスを対象とする広告内容としているので、ディジタルデータの内容と広告内容とが一体化できることとなり、商品イメージを向上させつつ、より高い広告効果が得られ’るという効果を有する。
【００８４】
また、本発明においては、ディジタルデータの再生内容を特定するキーコードに基づいて広告素材データにより広告データを生成するようにしているので、予め作成され固定化された広告内容でなく、ディジタルデータの再生時点毎に最新且つ最適な内容の広告データを作成できることとなり、広告効果を向上させることができるという効果を有する。
【００８５】
また、本発明においては、ディジタルデータの再生内容を特定するキーコードに基づいて広告提供者又は広告内容を選択するようにしているので、再生内容に適合した広告内容とすることにより、広告効果を向上させることができるという効果を有する。
【図面の簡単な説明】
【図１】   本発明の第１の実施形態に係る広告配信表示方法の概要構成ブロック図である。
【図２】   本発明の第１の実施形態に係る広告配信表示方法のユーザ端末装置の概要構成ブロック図である。
【図３】   図２記載のユーザ端末装置におけるディスプレイの表示画面の説明図である。
【図４】   本発明の第１の実施形態に係る広告配信表示方法の動作フローチャートである
【図５】   本発明の第１の実施形態に係る広告配信表示方法の動作フローチャートである
【図６】   本発明の第２の実施形態に係る広告配信表示方法の動作フローチャートである
【図７】   本発明の第２の実施形態に係る広告配信表示方法の動作フローチャートである
【図８】   本発明の第３実施形態に係る広告配信表示方法のユーザ端末装置の概要構成ブロック図である。
【図９】   本発明の第３実施形態に係る広告配信表示方法のＤＶＤにおけるデータ記録状態の説明図である。
【図１０】   本発明の第３の実施形態に係る広告配信表示方法の動作フローチャート図である
【図１１】   本発明の第３の実施形態に係る広告配信表示方法の動作フローチャート図である
【図１２】   本発明の第５の実施形態に係る広告配信表示方法の動作フローチャート図である
【図１３】   本発明の第６の実施形態に係る広告配信表示方法の動作フローチャート図である
【図１４】   本発明に係る広告配信表示方法の表示画面の一例のイメージ図である。
【図１５】   本発明に係る広告配信表示方法の表示画面の一例のイメージ図である。
【図１６】   本発明に係る広告配信表示方法の表示画面の一例のイメージ図である。
【図１７】   本発明に係る広告配信表示方法の表示画面の一例のイメージ図である。
【図１８】   本発明に係る広告配信表示方法の表示画面の一例のイメージ図である。
【図１９】   本発明に係る広告配信表示方法の表示画面の一例のイメージ図である。
【図２０】   本発明の第９の実施形態に係る広告配信表示方法の動作フローチャートである
【符号の説明】
１０  広告配信システム
１１、１１Ａ  ユーザ端末装置
１２  公衆回線網
１３  インターネット
１４  インターネットサービスプロバイダ
１５  コンテンツデータベース
１６  コンテンツサーバ
１７  広告データベース
１８  広告サーパ
２１  ディスプレイ
２２  端末装置本体
２３  キーボード
２４  ボインティングデバイス
２５  記憶装置
２６  ＤＶＤ再生装置
３１  コンテンツディジタルデータ
３２  ＣＭインデックス
４５  ＧＰＳ（Globa１ Positioning System）
【図１】
0004050033.tif 000002
【図２】
0004050033.tif 000003
【図３】
0004050033.tif 000004
【図４】
0004050033.tif 000005
【図５】
0004050033.tif 000006
【図６】
0004050033.tif 000007
【図７】
0004050033.tif 000008
【図８】
0004050033.tif 000009
【図９】
0004050033.tif 000010
【図１０】
0004050033.tif 000011
【図１１】
0004050033.tif 000012
【図１２】
0004050033.tif 000013
【図１３】
0004050033.tif 000014
【図１４】
0004050033.tif 000015
【図１５】
0004050033.tif 000016
【図１６】
0004050033.tif 000017
【図１７】
0004050033.tif 000018
【図１８】
0004050033.tif 000019
【図１９】
0004050033.tif 000020
【図２０】
0004050033.tif 000021